(57)【要約】【課題】容易に包装体から内容物を取り出すことができる包装体を提供する。【解決手段】包装体は、包装体の第１面を構成する第１シートと、第１面に対向する第２面を構成する第２シートと、第１シートと第２シートとを連結する連結部と、第１シートの内面と第２シートの内面との間で固形物を収容する収容部と、を備える。収容部は、第１シートの内面及び第２シートの内面のいずれもが、収容部に収容された固形物に少なくとも部分的に接するよう、構成されている。また、収容部に重なる第１シート又は第２シートの少なくともいずれか一方に、易破断線が形成されている。【選択図】図１
2017137069.tif 000002
【特許請求の範囲】
【請求項１】
固形物が収容された包装体であって、
前記包装体の第１面を構成する第１シートと、
前記第１面に対向する第２面を構成する第２シートと、
前記第１シートと前記第２シートとを連結する連結部と、
前記第１シートの内面と前記第２シートの内面との間で前記固形物を収容する収容部と、を備え、
前記収容部は、前記第１シートの内面及び前記第２シートの内面のいずれもが、前記収容部に収容された前記固形物に少なくとも部分的に接するよう、構成されており、
前記収容部に重なる前記第１シート又は前記第２シートの少なくともいずれか一方に、易破断線が形成されている、包装体。
【請求項２】
前記収容部は、前記包装体の第１の外縁と前記第１の外縁に対向する第２の外縁とを結ぶ直線が上下方向に延びるように、前記包装体のうち前記収容部に重なる前記第１シート及び前記第２シート以外の部分を保持した時に、前記固形物の上側部分及び下側部分のいずれもが前記第１シートの内面及び前記第２シートの内面に少なくとも部分的に接するよう、構成されている、請求項１に記載の包装体。
【請求項３】
前記連結部は、前記第１シートの内面と前記第２シートの内面とを前記包装体の外縁に沿って結合する外縁シール部を含む、請求項１又は２に記載の包装体。
【請求項４】
固形物は、複数の固体状の個片を含む、請求項１乃至３のいずれか一項に記載の包装体。
【請求項５】
第１面を構成する第１シートと、前記第１面に対向する第２面を構成する第２シートと、前記第１シートと前記第２シートとを連結する連結部と、前記第１シートの内面と前記第２シートの内面との間で固形物を収容する収容部と、を備える包装体の使用方法であって、
前記収容部に重なる前記第１シート又は前記第２シートの少なくともいずれか一方に、易破断線が形成されており、
前記第１シート又は前記第２シートのうち、前記易破断線が形成されている方のシートに向けて前記固形物を押圧することにより、前記易破断線を破断する、包装体の使用方法。
【発明の詳細な説明】
【技術分野】
【０００１】
本発明は、易破断線が形成された包装体及び該包装体の使用方法に関する。
【背景技術】
【０００２】
内容物を収容するための包装体として、柔軟性を有するシートを含む包装体が用いられている。例えば、特許文献１は、そのような包装体の一例として、柔軟性を有するシートの内面同士を外縁に沿って熱溶着によって結合することによって形成されるシール部を備えた袋を開示している。特許文献１に記載の袋においては、袋のうち外縁に沿って延びるシール部によって囲われた領域が、内容物を収容する収容部になる。
【０００３】
特許文献１に記載の袋は、袋を開封し易くするためにシートに形成された開封用切れ目線を備える。この場合、袋を開封する際、使用者は、開封用切れ目線に沿って袋を引き裂くことによって、袋を開封する。特許文献１に記載の袋において、開封用切れ目線は、シートのうちシール部及び収容部を構成する部分を通って袋を横断するよう、形成されている。
【先行技術文献】
【特許文献】
【０００４】
【特許文献１】特開平１０−１６７３１９号公報
【発明の概要】
【発明が解決しようとする課題】
【０００５】
特許文献１に記載の袋においては、袋から内容物を取り出すための作業が、開封用切れ目線に沿って袋を引き裂いて袋に開口部を形成するという第１段階と、袋を傾けたり開口部から袋の内部へ指などを差し入れたりすることによって内容物を取り出すという第２段階と、を含む。このように２つの段階を実施しなければ袋から内容物を取り出すことができず、使い勝手に劣る。
【０００６】
本発明は、このような課題を考慮してなされたものであり、容易に内容物を取り出すことができる包装体を提供することを目的とする。
【課題を解決するための手段】
【０００７】
本発明は、固形物が収容された包装体であって、前記包装体の第１面を構成する第１シートと、前記第１面に対向する第２面を構成する第２シートと、前記第１シートと前記第２シートとを連結する連結部と、前記第１シートの内面と前記第２シートの内面との間で前記固形物を収容する収容部と、を備え、記収容部は、前記第１シートの内面及び前記第２シートの内面のいずれもが、前記収容部に収容された前記固形物に少なくとも部分的に接するよう、構成されており、前記収容部に重なる前記第１シート又は前記第２シートの少なくともいずれか一方に、易破断線が形成されている、包装体である。
【０００８】
本発明による包装体において、前記収容部は、前記包装体の第１の外縁と前記第１の外縁に対向する第２の外縁とを結ぶ直線が上下方向に延びるように、前記包装体のうち前記収容部に重なる前記第１シート及び前記第２シート以外の部分を保持した時に、前記固形物の上側部分及び下側部分のいずれもが前記第１シートの内面及び前記第２シートの内面に少なくとも部分的に接するよう、構成されていいてもよい。
【０００９】
本発明による包装体において、  前記連結部は、前記第１シートの内面と前記第２シートの内面とを前記包装体の外縁に沿って結合する外縁シール部を含んでいてもよい。
【００１０】
本発明による包装体において、固形物は、複数の固体状の個片を含んでいてもよい。
【００１１】
本発明は、第１面を構成する第１シートと、前記第１面に対向する第２面を構成する第２シートと、前記第１シートと前記第２シートとを連結する連結部と、前記第１シートの内面と前記第２シートの内面との間で固形物を収容する収容部と、を備える包装体の使用方法であって、前記収容部に重なる前記第１シート又は前記第２シートの少なくともいずれか一方に、易破断線が形成されており、前記第１シート又は前記第２シートのうち、前記易破断線が形成されている方のシートに向けて前記固形物を押圧することにより、前記易破断線を破断する、包装体の使用方法である。
【発明の効果】
【００１２】
本発明による包装体は、包装体の第１面を構成する第１シートの内面、及び包装体の第２面を構成する第２シートの内面のいずれもが、収容部に収容された固形物に少なくとも部分的に接するよう、構成されている。また、収容部に重なる第１シート又は第２シートの少なくともいずれか一方に、易破断線が形成されている。この場合、収容部に収容されている固形物を使用者が包装体の外部から押すことにより、使用者が押したシートに対向するシートに対して、固形物を介して押圧力を加えることができる。このため、使用者が押したシートに対向するシートを、易破断線に沿って破断させることができる。シートを押すという動作によって固形物を包装体の外部に露出させることができる。このため、使用者が内容物を容易に取り出すことができる。
【図面の簡単な説明】
【００１３】
【図１】本発明の実施の一形態による袋を示す正面図である。
【図２】図１に示す袋をII−II線に沿って見た場合を示す断面図である。
【図３】シートの層構成の一例を示す断面図である。
【図４Ａ】袋の収容部を外部から押す様子を示す図である。
【図４Ｂ】易破断線に沿って破断した袋から収容部が露出する様子を示す図である。
【図５】本発明の実施の形態の一変形例による袋を示す正面図である。
【図６】本発明の実施の形態の一変形例による袋を示す正面図である。
【図７】本発明の実施の形態の一変形例による袋を示す正面図である。
【図８】本発明の実施の形態の一変形例による袋を示す正面図である。
【図９】図８に示す袋をIX−IX線に沿って見た場合を示す断面図である。
【図１０】本発明の実施の形態の一変形例による袋を示す正面図である。
【図１１】本発明の実施の形態の一変形例による袋を示す正面図である。
【図１２】図１１に示す袋をXII−XII線に沿って見た場合を示す断面図である。
【図１３】本発明の実施の形態の一変形例による包装体を示す正面図である。
【図１４】図１３に示す包装体をXIV−XIV線に沿って見た場合を示す断面図である。
【発明を実施するための形態】
【００１４】
以下、図１乃至図４Ｂを参照して、本発明の実施の形態について説明する。本実施の形態では、包装体が袋である例について説明する。なお、本件明細書に添付する図面においては、図示と理解のしやすさの便宜上、縮尺および縦横の寸法比等を、実物のそれらから適宜変更し誇張してある。
【００１５】
また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１６】
図１は、本実施の形態における袋１０を示す正面図である。また図２は、図１に示す袋１０をII−II線に沿って見た場合を示す断面図である。図１及び図２のいずれも、後述する収容部１５に内容物が収容された状態の袋１０を示している。
【００１７】
袋１０に収容される内容物は、例えば固形物３０である。固形物３０は、食品や医薬品など、人が口にする物品であってもよく、また、洗剤や入浴剤やペンなどの文房具など、人が口にしない物品であってもよい。
【００１８】
本実施の形態において、袋１０は、図１に示すように、１個の固形物３０を収容している。固形物３０は、袋１０の正面から見た場合に円形の輪郭を有している。また、固形物３０は、図２に示すように、袋１０の後述する第１シート１１に対向する第１面３１と、袋１０の後述する第２シート１２に対向する第２面３２とを含む。本実施の形態において、固形物３０の第１面３１と第２面３２との間の間隔Ｔ（以下、固形物３０の厚みＴとも称する）は、位置に依らず一様になっている。
【００１９】
後述するように、本実施の形態は、使用者が固形物３０を袋１０の外部から押すことにより袋１０のシートを破断させる、という袋１０の使用方法を想定している。従って、袋１０に収容される固形物３０は、袋１０の外部から押された場合に破壊されない程度の剛性を有していることが好ましい。例えば、固形物３０の厚みＴの最小値は、１ｍｍ以上である。
【００２０】
なお、使用者が固形物３０を袋１０の外部から押すことにより袋１０のシートに押圧力が加わり、これによって袋１０のシートを後述する易破断線１８に沿って破断させることができる限りにおいて、固形物３０の輪郭や断面形状が特に限られることはない。
【００２１】
袋
以下、固形物３０を収容する袋１０の構成について説明する。本実施の形態においては、袋１０が、扁平な四方シール袋である平パウチとして構成される例について説明する。なお、本実施の形態においては、固形物３０を収容する収容部１５が袋１０の外部から密封されている例を示すが、これに限られることはなく、収容部１５が袋１０の外部に部分的に連通していてもよい。
【００２２】
まず、袋１０の形状について説明する。図１に示すように、袋１０の輪郭は、互いに対向する上縁２１ａ及び下縁２２ａと、上縁２１ａから下縁２２ａに向かう方向に延び、互いに対向する第１側縁２３ａ及び第２側縁２４ａと、を含んでいる。本実施の形態において、第１側縁２３ａ及び第２側縁２４ａが延びる方向は、上縁２１ａ及び下縁２２ａが延びる方向に直交している。すなわち、袋１０は、四角形状の輪郭を有している。また、上縁２１ａ、下縁２２ａ、第１側縁２３ａ及び第２側縁２４ａの長さは等しくなっている。すなわち、袋１０は、正方形状の輪郭を有している。
【００２３】
なお、上縁、下縁、側縁や後述する上縁シール部、下縁シール部、側縁シール部などの用語は、上縁２１ａが上方に位置するように袋１０が保持された状態を基準とする表現であるが、袋１０は、自立可能に構成されたものでなくてもよい。例えば袋１０の上縁２１ａが上方に位置する状態は、人が袋１０の後述する上縁シール部を保持して袋１０を持ち上げることによって実現可能な状態であってもよい。すなわち、上縁、下縁、上縁シール部や下縁シール部という表現は、袋１０の各要素における相対的な位置関係を示すにすぎず、使用時の袋１０の姿勢を制限するものではない。
【００２４】
次に、袋１０の構成について説明する。図１及び図２に示すように、袋１０は、第１シート１１、第２シート１２、第１シート１１と第２シート１２とを連結する連結部２０、第１シート１１と第２シート１２との間に形成された収容部１５、及び、第１シート１１又は第２シート１２の少なくともいずれか一方に形成された易破断線１８を備える。
【００２５】
（シート）
まず、第１シート１１及び第２シート１２について説明する。第１シート１１は、袋１０の第１面を構成するシートであり、第２シート１２は、袋１０の第１面に対向する第２面を構成するシートである。
【００２６】
なお、上述の「第１シート」及び「第２シート」という用語は、袋１０の外面の位置関係に応じて、袋１０を構成するシートを区画したものに過ぎず、袋１０を製造する際のシートの提供方法が、上述の用語によって限定されることはない。例えば、袋１０は、第１シート１１と第２シート１２とが連設された１枚のシートを用いて製造されてもよく、１枚の第１シート１１と１枚の第２シート１２とを用いて製造されてもよい。
【００２７】
次に、第１シート１１及び第２シート１２の層構成について説明する。図３は、シート１１，１２の層構成の一例を示す断面図である。
【００２８】
第１シート１１、第２シート１２はそれぞれ、複数の層が積層された積層体を含む。積層体は、図３に示すように、第１シート１１の内面１１ｘ及び第２シート１２の内面１２ｘを構成するシーラント層５１と、シーラント層５１よりも第１シート１１、第２シート１２の外面１１ｙ，１２ｙ側に位置する基材層５２と、を少なくとも含んでいる。図３に示す例においては、基材層５２が第１シート１１、第２シート１２の外面１１ｙ，１２ｙを構成している。
【００２９】
基材層５２には、製品情報を示すための印刷表示が施されていてもよい。印刷表示としては、文字、数字、記号、図形、絵柄などを挙げることができる。シート１１，１２全体の厚みは、例えば３０μｍ以上かつ１５０μｍ以下になっている。
【００３０】
なお、第１シート１１及び第２シート１２は、基材層５２に施される印刷によって特に区別されるものではない。例えば、袋１０を構成するシートのうち、後述する易破断線１８が形成されているシートを、第１シート１１と定義し、第１シート１１に対向するシートを、第２シート１２と定義してもよい。
【００３１】
基材層５２を構成する材料としては、例えば、紙材やプラスチック材を用いることができる。紙材の例としては、上質紙、クラフト紙、アート紙、コート紙などを挙げることができる。プラスチック材の例としては、ポリエチレンテレフタレート、ポリプロピレン、ナイロンなどを挙げることができる。基材層５２によって、第１シート１１，第２シート１２の強度や、第１シート１１，第２シート１２の外面１１ｙ，１２ｙにおける印刷適性を確保することができる。また基材層５２は、好ましくは、熱溶着時の高い耐熱性を有している。基材層５２の厚みは、例えば紙材であれば５μｍ以上かつ１００μｍ以下になっており、プラスチック材であれば５μｍ以上かつ５０μｍ以下になっている。
【００３２】
シーラント層５１を構成する材料としては、例えば、ポリエチレンやポリプロピレンなどを用いることができる。シーラント層５１の厚みは、例えば２０μｍ以上かつ１５０μｍ以下になっている。
【００３３】
なお、上述の例では、第１シート１１，第２シート１２が少なくとも基材層５２とシーラント層５１を含む例について説明したが、これに限られることはない。第１シート１１，第２シート１２は、少なくとも熱可塑性樹脂層を含むように構成されていてもよい。熱可塑性樹脂層を構成する材料としては、例えば、ポリエチレン、ポリプロピレン、ポリエチレンテレフタレートなどを用いることができる。
【００３４】
第１シート１１，第２シート１２は、上述した層以外の層をさらに含んでいてもよい。
上述した層以外の層（以下、その他の層とも称する）としては、水蒸気その他のガスバリア性、遮光性、各種の機械的強度など、必要とされる性能に応じて、適切なものが選択され得る。
その他の層の一例は、ガスバリア層である。ガスバリア層としては、例えば、アルミニウム箔などの金属層や、アルミニウムなどの金属または酸化アルミニウムなどの金属酸化物または酸化珪素などの無機酸化物の蒸着層などが設けられ得る。その他にも、ガスバリア層として、エチレン−ビニルアルコール共重合体（ＥＶＯＨ）、ポリ塩化ビニリデン樹脂（ＰＶＤＣ）や、ナイロンＭＸＤ６などの脂肪族ポリアミドなどの、高いガスバリア性を有する樹脂層を設けてもよい。このことにより、酸素や水蒸気が袋１０の内部に浸入することを抑制することができる。
その他の層として、支持体を設けてもよい。支持体としては、基材層５２と同じものを用いることができる。延伸ナイロンフィルムを設けた場合、シート１１，１２の耐突き刺し性を高めることができる。
なお、その他の層は、基材層５２とシーラント層５１との間に配置してもよいし、基材層５２の面のうちシーラント層５１と反対側の面に配置してもよい。
【００３５】
（連結部）
次に、連結部２０について説明する。連結部２０は、固形物３０を収容する収容部１５における第１シート１１の内面１１ｘと第２シート１２の内面１２ｘとの間の間隔を制限して、シート１１，１２の内面１１ｘ，１２ｘを固形物３０に接触させるよう、第１シート１１と第２シート１２とを連結する。本実施の形態において、連結部２０は、袋１０の外縁に沿って第１シート１１の内面１１ｘと第２シート１２の内面１２ｘとを結合させるシール部である。例えば、袋１０が四方シール袋である場合、連結部２０のシール部は、図１に示すように、上縁２１ａに沿って延びる上縁シール部２１、下縁２２ａに沿って延びる下縁シール部２２、第１側縁２３ａに沿って延びる第１側縁シール部２３、及び、第２側縁２４ａに沿って延びる第２側縁シール部２４を含む。
【００３６】
第１シート１１の内面１１ｘと第２シート１２の内面１２ｘとを結合させることができる限りにおいて、上述の各シール部などの連結部を形成するための方法が特に限られることはない。例えば、加熱などによって第１シート１１の内面１１ｘを構成する層と第２シート１２の内面１２ｘを構成する層とを溶融させて、シート１１，１２の内面１１ｘ，１２ｘ同士を溶着させることによって、連結部を形成してもよい。若しくは、接着剤や粘着剤などを用いてシート１１，１２の内面１１ｘ，１２ｘ同士を接着することによって、連結部を形成してもよい。
【００３７】
（収容部）
収容部１５は、第１シート１１の内面１１ｘと第２シート１２の内面１２ｘとの間に形成された、固形物３０を収容する空間である。収容部１５は、図１に示すように、連結部２０の内縁で囲まれた空間である。
【００３８】
（易破断線）
易破断線１８は、第１シート１１（第２シート１２）が内面１１ｘ（１２ｘ）側から固形物３０によって押圧されたときに第１シート１１（第２シート１２）が破断し易くなるように、第１シート１１，第２シート１２のうち収容部１５に重なる部分に線状に施された加工部分である。本実施の形態において、易破断線１８は、第１シート１１のうち収容部１５のみに重なる部分に形成されている。なお、図示はしないが、易破断線１８は、第１シート１１及び第２シート１２の両方に形成されていてもよい。
【００３９】
易破断線１８は、例えば、第１シート１１を貫通しないように第１シート１１の外面１１ｙに形成されたハーフカット線である。この場合、易破断線１８は、図３に示すように、シーラント層５１に達しないように第１シート１１の外面１１ｙに形成された凹部又は切り込みを含む。凹部や切り込みは、レーザーを用いて形成してもよいし、刃物を用いて形成してもよい。本実施の形態において、易破断線１８は、図１に示すように連続的な線で形成されているが、断続的な線で形成されていてもよい。また、図示はしないが、易破断線１８は、基材層５２に達しないように第１シートの内面１１ｘに形成された凹部又は切り込みを含んでいてもよい。
【００４０】
易破断線１８は、線状に並ぶとともに第１シート１１を貫通する複数の貫通孔を含んでいてもよい。例えば、易破断線１８は、ミシン目であってもよい。固形物３０が袋１０の外部から密封される必要がない場合に、このような貫通孔の形態を採用することができる。
【００４１】
次に、易破断線１８の形状について説明する。易破断線１８は、固形物３０の輪郭に対応する形状を有していてもよい。例えば、固形物３０が円形状の輪郭を有する場合、図１に示すように、易破断線１８も円形状の輪郭を有していてもよい。すなわち、易破断線１８は、円弧形状であってもよい。
【００４２】
図１に示すように、易破断線１８は、固形物３０と重ならないように固形物３０よりも袋１０の外縁側に形成されていてもよい。また、図示はしないが、易破断線１８は、固形物３０と重なる部分を含んでいてもよい。また、図示はしないが、固形物３０の全域が固形物３０と重なっていてもよい。好ましくは、易破断線１８は、固形物３０の幅Ｗ１よりも易破断線１８の幅Ｗ２のほうが大きくなるように形成される。
【００４３】
（収容部内における固形物の状態）
次に、収容部１５内における固形物３０の状態について詳細に説明する。本実施の形態において、収容部１５は、収容部１５に重なる第１シート１１の内面１１ｘ及び第２シート１２の内面１２ｘのいずれもが、収容部１５に収容された固形物３０に少なくとも部分的に接するよう、構成されている。言い換えると、シート１１，１２の内面１１ｘ，１２ｘのいずれもが固形物３０に少なくとも部分的に接するように、第１シート１１及び第２シート１２が連結部２０によって連結されている。これによって、固形物３０を袋１０の第２シート１２側から第１シート１１側へ押した時に、固形物３０が第１シート１１に内面１１ｘ側から効果的に押圧力を及ぼすことができる。
【００４４】
なお、固形物３０が第１シート１１の内面１１ｘ及び第２シート１２の内面１２ｘの両方に接するか否かは、袋１０の第１の外縁と第１の外縁に対向する第２の外縁とを結ぶ直線が上下方向に延びるように、袋１０のうち収容部１５に重なる第１シート１１及び第２シート１２以外の部分を保持して袋１０を吊り下げた状態で、判断される。例えば、図２に示すように、袋１０の上縁２１ａ（第１の外縁）と下縁２２ａ（第２の外縁）とを結ぶ直線Ｌ１が上下方向（垂直方向）に延びるように袋１０の上縁２１ａを保持して袋１０を吊り下げた状態で、判断する。図２に示す例においては、固形物３０の上端３３が第１シート１１の内面１１ｘ及び第２シート１２の内面１２ｘの両方に接し、且つ、固形物３０の下端３４が第１シート１１の内面１１ｘ及び第２シート１２の内面１２ｘの両方に接している。
【００４５】
好ましくは、図２に示すように、固形物３０の上側部分３０ａ及び下側部分３０ｂのいずれもが、第１シート１１の内面１１ｘ及び第２シート１２の内面１２ｘの両方に接するよう、袋１０が構成される。ここで、上側部分３０ａとは、例えば、収容部１５の重心点Ｐ１よりも上側に位置する部分であり、下側部分３０ｂとは、例えば、収容部１５の重心点Ｐ１よりも下側に位置する部分である。
【００４６】
以下、収容部１５における固形物３０の上述の状態を実現するための、袋１０の具体的な構成の例について説明する。
【００４７】
固形物の取出方法
次に、袋１０の第１シート１１を破断させて固形物３０を取り出す方法の一例について、図４Ａ及び図４Ｂを参照して説明する。
【００４８】
使用者は、一方の手で袋１０を保持した状態で、袋１０の収容部１５に収容されている固形物３０を、図４Ａに符号Ｆで示すように、他方の手で袋１０の第２シート１２側から第１シート１１に向けて押圧する。例えば、使用者は、親指の先端部を用いて、固形物３０を第２シート１２側から押圧する。これによって、固形物３０のうち第１シート１１の内面１１ｘに接している部分が第１シート１１を押圧するようになる。例えば、固形物３０の第１面３１が第１シート１１を押圧し、また、固形物３０の下端３４が第１シート１１を押圧する。
【００４９】
ここで、本実施の形態においては、第１シート１１に易破断線１８が形成されている。このため、図４Ｂに示すように、易破断線１８に沿って第１シート１１を破断させることができる。この場合、図４Ｂに示すように、第１シート１１が破断した箇所において固形物３０が袋１０の外部に露出する。このため、使用者は、固形物３０を袋１０から容易に取り出すことができる。
【００５０】
また、本実施の形態においては、図４Ｂに示すように、第１シート１１のみを破断させることによって固形物３０を袋１０の外部に露出させることができる。このため、袋１０の一部を袋１０のその他の部分から分離させることなく、固形物３０を袋１０から取り出すことができる。従って、固形物３０を取り出した後の袋１０を、１個の連続したごみとして廃棄することができる。このため、袋の一部を分離することによって袋を開封して固形物を取り出す場合に比べて、固形物３０を取り出した後の袋１０の廃棄が容易になる。
【００５１】
また、本実施の形態において、使用者が固形物３０を袋１０の第２シート１２側から押圧すると、固形物３０が広い範囲で第１シート１１の内面１１ｘに接するようになる。このため、固形物３０が第１シート１１の内面１１ｘを押圧する力も、第１シート１１の広い範囲にわたって生じる。このため、第１シート１１のうち易破断線１８が形成されている複数の箇所に、第１シート１１を破断させるための力を同時に生じさせることができる。従って、上述の特許文献１に記載の袋のようにフィルムを破断させる力が一点に集中する場合に比べて、第１シート１１を易破断線１８に沿ってより正確に破断させることができる。
【００５２】
なお、上述した各実施の形態に対して様々な変更を加えることが可能である。以下、変形例について説明する。以下の説明および以下の説明で用いる図面では、上述した各実施の形態と同様に構成され得る部分について、上述の実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００５３】
（易破断線の変形例）
上述の本実施の形態においては、易破断線１８が、固形物３０の輪郭に対応する形状を有する例を示した。しかしながら、固形物３０からの押圧力に基づいて第１シート１１を破断させることができる限りにおいて、易破断線１８の形状が限られることはない。
【００５４】
例えば、図５に示すように、易破断線１８は、直線状に延びていてもよい。この例では、易破断線１８が、第１側縁２３から第２側縁２４に向かって直線状に延びる例が示されている。また、図６に示すように、易破断線１８は、複数の直線状の部分を含んでいてもよい。この例では、易破断線１８が、第１側縁２３から第２側縁２４に向かって延びる第１の直線状の部分と、第１の直線状の部分の両端において第１の直線状の部分と直交するように連結されるとともに下縁２２に向かって延びる一対の第２の直線状の部分と、を含む例が示されている。また、図７に示すように、易破断線１８は、閉じた輪郭を有していてもよい。この例では、易破断線１８が、円形状である例が示されている。
【００５５】
いずれの変形例においても、易破断線１８は、固形物３０と重ならないように固形物３０よりも袋１０の外縁側に形成されていてもよい。また、易破断線１８は、固形物３０と重なる部分を含んでいてもよい。また、固形物３０の全域が固形物３０と重なっていてもよい。
【００５６】
（固形物の変形例）
上述の本実施の形態においては、袋１０が、１個の固形物３０を収容する例を示した。しかしながら、これに限られることはなく、袋１０は、図８に示すように、複数の固体状の個片３７を含む固形物３０を収容していてもよい。
【００５７】
図９は、図８に示す袋１０をIX−IX線に沿って見た場合を示す断面図である。本変形例において、収容部１５は、収容部１５に重なる第１シート１１の内面１１ｘ及び第２シート１２の内面１２ｘのいずれもが、収容部１５に収容された複数の固体状の個片３７の少なくとも１つに部分的に接するよう、構成されている。これによって、袋１０の第２シート１２を第１シート１１側へ押した時に、少なくとも１つの個片３７が第１シート１１に内面１１ｘ側から効果的に押圧力を及ぼすことができる。
【００５８】
好ましくは、本変形例においても、上述の本実施の形態の場合と同様に、袋１０を吊り下げた状態の時に、固形物３０の上側部分３０ａ及び下側部分３０ｂのいずれもが、第１シート１１の内面１１ｘ及び第２シート１２の内面１２ｘの両方に接するよう、袋１０が構成される。なお、本変形例において、上側部分３０ａとは、例えば、複数の個片３７のうち最も上方に位置する個片３７であり、下側部分３０ｂとは、例えば、複数の個片３７のうち最も下方に位置する個片３７である。
【００５９】
（袋の変形例）
上述の本実施の形態においては、袋１０が、四方シール袋として構成される例を示したが、これに限られることはない。例えば図１０に示すように、袋１０が三方シール袋として構成されていてもよい。例えば、袋１０の連結部２０は、上縁２１ａに沿って延びる上縁シール部２１、下縁２２ａに沿って延びる下縁シール部２２、及び第１側縁２３ａに沿って延びる第１側縁シール部２３を含むが、第２側縁２４ａに沿って延びる第２側縁シール部２４を含んでいなくてもよい。また、図示はしないが、袋１０は、上縁シール部２１から下縁シール部２２に至るように延びる合掌シール部を含む、いわゆるピロー袋であってもよい。この場合、上述の易破断線１８は、第１シート１１及び第２シート１２のうち合掌シール部が設けられていない側に形成される。
【００６０】
また、袋１０は、例えば図１１及び図１２に示すような形態で構成されていてもよい。例えば、袋１０の連結部２０は、上縁２１ａに沿って延びる上縁シール部２１、下縁２２ａに沿って延びる下縁シール部２２を含むが、第１側縁２３ａに沿って延びる第１側縁シール部２３、第２側縁２４ａに沿って延びる第２側縁シール部２４を含んでいなくてもよい。本変形例では、袋１０は、１枚の筒状のフィルムを用いて構成されている。そして、易破断線１８は、第１側縁２３ａから第２側縁２４ａに向かって延び、ミシン目となっている。さらに、上縁２１ａの長さＭ１は第１側縁２３ａの長さＭ２より短く形成されており、上縁２１ａから下縁２２ａに沿って延びる細長い形状の固形物３０が収容されている。このような固形物３０としては、例えば、ペンなどが挙げられる。
【００６１】
（包装体の変形例）
上述の本実施の形態においては、固形物３０が収容された包装体が袋１０である例を示したが、これに限られることはない。例えば、包装体を、図１３及び図１４に示すように、平板状の第１シート１１と、第１シート１１から遠ざかる向きへ突出する突出部１３が設けられた第２シート１２とで構成するようにしてもよい。第２シート１２をバキュームフォームで成形した場合、このような包装体はブリスターパックとも呼ばれる。この場合、収容部１５は、第１シート１１の内面１１ｘと第２シート１２の突出部１３の内面１２ｘとで囲まれた空間である。第２シート１２のうち突出部１３以外の部分の内面１２ｘと、それに対向する第１シート１１の内面１１ｘとは、連結部２０によって連結されている。そして、第１シート１１のうち収容部１５に対応する箇所には、第１シート１１を貫通しないように易破断線１８が形成されている。なお、このような包装体の場合は、固形物３０は第１シート１１の内面１１ｘおよび第２シート１２の内面１２ｘに必ずしも接している必要はない。また、突出部１３は複数設けられていてもよい。
【００６２】
なお、上述した実施の形態に対するいくつかの変形例を説明してきたが、当然に、複数の変形例を適宜組み合わせて適用することも可能である。
【符号の説明】
【００６３】
１０  袋
１１  第１シート
１２  第２シート
１５  収容部
１８  易破断線
２０  連結部
２１  上縁シール部
２１ａ  上縁
２２  下縁シール部
２２ａ  下縁
２３  第１側縁シール部
２３ａ  第１側縁
２４  第２側縁シール部
２４ａ  第２側縁
３０  固形物
３０ａ  上側部分
３０ｂ  下側部分
３１  第１面
３２  第２面
３３  上端
３４  下端
３７  個片
【図１】
2017137069.tif 000003
【図２】
2017137069.tif 000004
【図３】
2017137069.tif 000005
【図４Ａ】
2017137069.tif 000006
【図４Ｂ】
2017137069.tif 000007
【図５】
2017137069.tif 000008
【図６】
2017137069.tif 000009
【図７】
2017137069.tif 000010
【図８】
2017137069.tif 000011
【図９】
2017137069.tif 000012
【図１０】
2017137069.tif 000013
【図１１】
2017137069.tif 000014
【図１２】
2017137069.tif 000015
【図１３】
2017137069.tif 000016
【図１４】
2017137069.tif 000017